【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
自装置を識別する識別情報を有し、放送信号を受信する放送受信装置であって、
前記識別情報を有する前記放送受信装置に固有の第１暗号鍵を生成する生成手段と、
前記放送信号の所定のチャンネルに含まれる、個別情報ストリームと復号のために第２暗号鍵が必要なコンテンツストリームとを含む放送ストリームを記録する記録手段であって、前記個別情報ストリームは、前記生成手段が前記第１暗号鍵を生成するために必要な第１個別情報と、前記第２暗号鍵を含み前記第１暗号鍵で復号可能な第２個別情報とを周期的に含む、記録手段と、
前記記録手段が記録した放送ストリームに含まれる個別情報ストリームの中から、当該個別情報ストリームにおいて時間的に最も前に位置する前記第１個別情報及び前記第２個別情報を検索する検索手段と、
前記検索手段が発見した前記第２個別情報を、前記個別情報ストリームにおいて当該第２個別情報が発見された位置よりも時間的に前であり、かつ前記第１個別情報よりも時間的に後である位置に上書きする上書き手段と、
を備えることを特徴とする放送受信装置。
【請求項２】
前記上書き手段は、前記検索手段が発見した前記第１個別情報を、前記個別情報ストリームにおいて当該第１個別情報が発見された位置よりも時間的に前である位置に上書きする
ことを特徴とする請求項１に記載の放送受信装置。
【請求項３】
前記上書き手段が前記第１個別情報を上書きする前記位置は前記個別情報ストリームの先頭の位置であり、前記上書き手段が前記第２個別情報を上書きする前記位置は前記個別情報ストリームの２番目の位置である
ことを特徴とする請求項２に記載の放送受信装置。
【請求項４】
前記上書き手段は、前記検索手段が発見した前記第１個別情報を上書きする前記位置に存在する情報を当該第１個別情報が発見された位置に上書きする
ことを特徴とする請求項２又は３に記載の放送受信装置。
【請求項５】
前記上書き手段は、前記検索手段が発見した前記第２個別情報を上書きする前記位置に存在する情報を当該第２個別情報が発見された位置に上書きする
ことを特徴とする請求項１乃至４のいずれか１項に記載の放送受信装置。
【請求項６】
前記第１個別情報及び前記第２個別情報はそれぞれ前記識別情報を含み、
前記検索手段は、前記第１個別情報及び前記第２個別情報が含む識別情報を前記放送受信装置が有する識別情報と比較することによって前記第１個別情報及び前記第２個別情報を検索する
ことを特徴とする請求項１乃至５のいずれか１項に記載の放送受信装置。
【請求項７】
自装置を識別する識別情報を有し、放送信号を受信する放送受信装置であって、
前記識別情報を有する前記放送受信装置に固有の第１暗号鍵を生成する生成手段と、
前記放送信号の所定のチャンネルに含まれる、個別情報ストリームと復号のために第２暗号鍵が必要なコンテンツストリームとを含む放送ストリームを記録する記録手段であって、前記個別情報ストリームは、前記生成手段が前記第１暗号鍵を生成するために必要な第１個別情報と、前記第２暗号鍵を含み前記第１暗号鍵で復号可能な第２個別情報とを周期的に含む、記録手段と、
前記記録手段が記録した放送ストリームに含まれる個別情報ストリームの中から前記第１個別情報及び前記第２個別情報を検索する検索手段と、
前記検索手段が発見した前記第１個別情報及び前記第２個別情報を、前記個別情報ストリームの全体に亘って交互に上書きする上書き手段と、
を備えることを特徴とする放送受信装置。
【請求項８】
自装置を識別する識別情報を有し、放送信号を受信する放送受信装置であって、
前記識別情報を有する前記放送受信装置に固有の第１暗号鍵を生成する生成手段と、
前記放送信号の所定のチャンネルに含まれる、個別情報ストリームと復号のために第２暗号鍵が必要なコンテンツストリームとを含む放送ストリームを記録する記録手段であって、前記個別情報ストリームは、前記生成手段が前記第１暗号鍵を生成するために必要な第１個別情報と、前記第２暗号鍵を含み前記第１暗号鍵で復号可能な第２個別情報とを周期的に含む、記録手段と、
前記記録手段が記録した放送ストリームに含まれる個別情報ストリームの中から前記第１個別情報及び前記第２個別情報を検索する検索手段と、
前記検索手段が発見した前記第１個別情報及び前記第２個別情報の位置を示す情報を、前記放送ストリームのヘッダに格納する格納手段と、
を備えることを特徴とする放送受信装置。
【請求項９】
自装置を識別する識別情報を有し、放送信号を受信する放送受信装置の制御方法であって、
前記放送受信装置の生成手段が、前記識別情報を有する前記放送受信装置に固有の第１暗号鍵を生成する生成工程と、
前記放送受信装置の記録手段が、前記放送信号の所定のチャンネルに含まれる、個別情報ストリームと復号のために第２暗号鍵が必要なコンテンツストリームとを含む放送ストリームを記録する記録工程であって、前記個別情報ストリームは、前記生成工程において前記第１暗号鍵を生成するために必要な第１個別情報と、前記第２暗号鍵を含み前記第１暗号鍵で復号可能な第２個別情報とを周期的に含む、記録工程と、
前記放送受信装置の検索手段が、前記記録工程において記録された放送ストリームに含まれる個別情報ストリームの中から、当該個別情報ストリームにおいて時間的に最も前に位置する前記第１個別情報及び前記第２個別情報を検索する検索工程と、
前記放送受信装置の上書き手段が、前記検索工程において発見された前記第２個別情報を、前記個別情報ストリームにおいて当該第２個別情報が発見された位置よりも時間的に前であり、かつ前記第１個別情報よりも時間的に後である位置に上書きする上書き工程と、
を備えることを特徴とする制御方法。
【請求項１０】
自装置を識別する識別情報を有し、放送信号を受信する放送受信装置の制御方法であって、
前記放送受信装置の生成手段が、前記識別情報を有する前記放送受信装置に固有の第１暗号鍵を生成する生成工程と、
前記放送受信装置の記録手段が、前記放送信号の所定のチャンネルに含まれる、個別情報ストリームと復号のために第２暗号鍵が必要なコンテンツストリームとを含む放送ストリームを記録する記録工程であって、前記個別情報ストリームは、前記生成工程において前記第１暗号鍵を生成するために必要な第１個別情報と、前記第２暗号鍵を含み前記第１暗号鍵で復号可能な第２個別情報とを周期的に含む、記録工程と、
前記放送受信装置の検索手段が、前記記録工程において記録された放送ストリームに含まれる個別情報ストリームの中から前記第１個別情報及び前記第２個別情報を検索する検索工程と、
前記放送受信装置の上書き手段が、前記検索工程において発見された前記第１個別情報及び前記第２個別情報を、前記個別情報ストリームの全体に亘って交互に上書きする上書き工程と、
を備えることを特徴とする制御方法。
【請求項１１】
自装置を識別する識別情報を有し、放送信号を受信する放送受信装置の制御方法であって、
前記放送受信装置の生成手段が、前記識別情報を有する前記放送受信装置に固有の第１暗号鍵を生成する生成工程と、
前記放送受信装置の記録手段が、前記放送信号の所定のチャンネルに含まれる、個別情報ストリームと復号のために第２暗号鍵が必要なコンテンツストリームとを含む放送ストリームを記録する記録工程であって、前記個別情報ストリームは、前記生成工程において前記第１暗号鍵を生成するために必要な第１個別情報と、前記第２暗号鍵を含み前記第１暗号鍵で復号可能な第２個別情報とを周期的に含む、記録工程と、
前記放送受信装置の検索手段が、前記記録工程において記録された放送ストリームに含まれる個別情報ストリームの中から前記第１個別情報及び前記第２個別情報を検索する検索工程と、
前記放送受信装置の格納手段が、前記検索工程において発見された前記第１個別情報及び前記第２個別情報の位置を示す情報を、前記放送ストリームのヘッダに格納する格納工程と、
を備えることを特徴とする制御方法。
【手続補正２】
【補正対象書類名】明細書
【補正対象項目名】００１５
【補正方法】変更
【補正の内容】
【００１５】
上記課題を解決するために、第１の本発明は、自装置を識別する識別情報を有し、放送信号を受信する放送受信装置であって、前記識別情報を有する前記放送受信装置に固有の第１暗号鍵を生成する生成手段と、前記放送信号の所定のチャンネルに含まれる、個別情報ストリームと復号のために第２暗号鍵が必要なコンテンツストリームとを含む放送ストリームを記録する記録手段であって、前記個別情報ストリームは、前記生成手段が前記第１暗号鍵を生成するために必要な第１個別情報と、前記第２暗号鍵を含み前記第１暗号鍵で復号可能な第２個別情報とを周期的に含む、記録手段と、前記記録手段が記録した放送ストリームに含まれる個別情報ストリームの中から、当該個別情報ストリームにおいて時間的に最も前に位置する前記第１個別情報及び前記第２個別情報を検索する検索手段と、前記検索手段が発見した前記第２個別情報を、前記個別情報ストリームにおいて当該第２個別情報が発見された位置よりも時間的に前であり、かつ前記第１個別情報よりも時間的に後である位置に上書きする上書き手段と、を備えることを特徴とする放送受信装置を提供する。
【手続補正３】
【補正対象書類名】明細書
【補正対象項目名】００１６
【補正方法】変更
【補正の内容】
【００１６】
また、第２の本発明は、自装置を識別する識別情報を有し、放送信号を受信する放送受信装置であって、前記識別情報を有する前記放送受信装置に固有の第１暗号鍵を生成する生成手段と、前記放送信号の所定のチャンネルに含まれる、個別情報ストリームと復号のために第２暗号鍵が必要なコンテンツストリームとを含む放送ストリームを記録する記録手段であって、前記個別情報ストリームは、前記生成手段が前記第１暗号鍵を生成するために必要な第１個別情報と、前記第２暗号鍵を含み前記第１暗号鍵で復号可能な第２個別情報とを周期的に含む、記録手段と、前記記録手段が記録した放送ストリームに含まれる個別情報ストリームの中から前記第１個別情報及び前記第２個別情報を検索する検索手段と、前記検索手段が発見した前記第１個別情報及び前記第２個別情報を、前記個別情報ストリームの全体に亘って交互に上書きする上書き手段と、を備えることを特徴とする放送受信装置を提供する。
【手続補正４】
【補正対象書類名】明細書
【補正対象項目名】００１７
【補正方法】変更
【補正の内容】
【００１７】
また、第３の本発明は、自装置を識別する識別情報を有し、放送信号を受信する放送受信装置であって、前記識別情報を有する前記放送受信装置に固有の第１暗号鍵を生成する生成手段と、前記放送信号の所定のチャンネルに含まれる、個別情報ストリームと復号のために第２暗号鍵が必要なコンテンツストリームとを含む放送ストリームを記録する記録手段であって、前記個別情報ストリームは、前記生成手段が前記第１暗号鍵を生成するために必要な第１個別情報と、前記第２暗号鍵を含み前記第１暗号鍵で復号可能な第２個別情報とを周期的に含む、記録手段と、前記記録手段が記録した放送ストリームに含まれる個別情報ストリームの中から前記第１個別情報及び前記第２個別情報を検索する検索手段と、前記検索手段が発見した前記第１個別情報及び前記第２個別情報の位置を示す情報を、前記放送ストリームのヘッダに格納する格納手段と、を備えることを特徴とする放送受信装置を提供する。
【手続補正５】
【補正対象書類名】明細書
【補正対象項目名】００１８
【補正方法】変更
【補正の内容】
【００１８】
また、第４の本発明は、自装置を識別する識別情報を有し、放送信号を受信する放送受信装置の制御方法であって、前記放送受信装置の生成手段が、前記識別情報を有する前記放送受信装置に固有の第１暗号鍵を生成する生成工程と、前記放送受信装置の記録手段が、前記放送信号の所定のチャンネルに含まれる、個別情報ストリームと復号のために第２暗号鍵が必要なコンテンツストリームとを含む放送ストリームを記録する記録工程であって、前記個別情報ストリームは、前記生成工程において前記第１暗号鍵を生成するために必要な第１個別情報と、前記第２暗号鍵を含み前記第１暗号鍵で復号可能な第２個別情報とを周期的に含む、記録工程と、前記放送受信装置の検索手段が、前記記録工程において記録された放送ストリームに含まれる個別情報ストリームの中から、当該個別情報ストリームにおいて時間的に最も前に位置する前記第１個別情報及び前記第２個別情報を検索する検索工程と、前記放送受信装置の上書き手段が、前記検索工程において発見された前記第２個別情報を、前記個別情報ストリームにおいて当該第２個別情報が発見された位置よりも時間的に前であり、かつ前記第１個別情報よりも時間的に後である位置に上書きする上書き工程と、を備えることを特徴とする制御方法を提供する。
【手続補正６】
【補正対象書類名】明細書
【補正対象項目名】００１９
【補正方法】変更
【補正の内容】
【００１９】
また、第５の本発明は、自装置を識別する識別情報を有し、放送信号を受信する放送受信装置の制御方法であって、前記放送受信装置の生成手段が、前記識別情報を有する前記放送受信装置に固有の第１暗号鍵を生成する生成工程と、前記放送受信装置の記録手段が、前記放送信号の所定のチャンネルに含まれる、個別情報ストリームと復号のために第２暗号鍵が必要なコンテンツストリームとを含む放送ストリームを記録する記録工程であって、前記個別情報ストリームは、前記生成工程において前記第１暗号鍵を生成するために必要な第１個別情報と、前記第２暗号鍵を含み前記第１暗号鍵で復号可能な第２個別情報とを周期的に含む、記録工程と、前記放送受信装置の検索手段が、前記記録工程において記録された放送ストリームに含まれる個別情報ストリームの中から前記第１個別情報及び前記第２個別情報を検索する検索工程と、前記放送受信装置の上書き手段が、前記検索工程において発見された前記第１個別情報及び前記第２個別情報を、前記個別情報ストリームの全体に亘って交互に上書きする上書き工程と、を備えることを特徴とする制御方法を提供する。
【手続補正７】
【補正対象書類名】明細書
【補正対象項目名】００２０
【補正方法】変更
【補正の内容】
【００２０】
また、第６の本発明は、自装置を識別する識別情報を有し、放送信号を受信する放送受信装置の制御方法であって、前記放送受信装置の生成手段が、前記識別情報を有する前記放送受信装置に固有の第１暗号鍵を生成する生成工程と、前記放送受信装置の記録手段が、前記放送信号の所定のチャンネルに含まれる、個別情報ストリームと復号のために第２暗号鍵が必要なコンテンツストリームとを含む放送ストリームを記録する記録工程であって、前記個別情報ストリームは、前記生成工程において前記第１暗号鍵を生成するために必要な第１個別情報と、前記第２暗号鍵を含み前記第１暗号鍵で復号可能な第２個別情報とを周期的に含む、記録工程と、前記放送受信装置の検索手段が、前記記録工程において記録された放送ストリームに含まれる個別情報ストリームの中から前記第１個別情報及び前記第２個別情報を検索する検索工程と、前記放送受信装置の格納手段が、前記検索工程において発見された前記第１個別情報及び前記第２個別情報の位置を示す情報を、前記放送ストリームのヘッダに格納する格納工程と、を備えることを特徴とする制御方法を提供する。
【手続補正８】
【補正対象書類名】明細書
【補正対象項目名】００４７
【補正方法】変更
【補正の内容】
【００４７】
放送受信装置１００は、まずデバイス鍵更新ＥＭＭを取得し、デバイス鍵生成部１１２を用いてデバイス鍵を生成する。デバイス鍵をすでに取得済みの場合は取得済みのデバイス鍵をそのまま用いてもよい。次に、放送受信装置１００は、ワーク鍵設定ＥＭＭを取得し、デバイス鍵を用いてこれを復号することによりワーク鍵を取得する。即ち、ワーク鍵設定ＥＭＭ（第２個別情報）は、デバイス鍵を用いて復号可能である。そして、ＥＣＭを取得し、ワーク鍵を用いてこれを復号することによりスクランブル鍵を取得する。
【手続補正９】
【補正対象書類名】明細書
【補正対象項目名】００５４
【補正方法】変更
【補正の内容】
【００５４】
ワーク鍵が取得できたことでスクランブル鍵を復号することが可能となり、コンテンツの再生が可能となる。しかしながら、時刻Ｓ１までの間はコンテンツの再生ができない。そこで、本実施例では以下に説明するように、放送受信装置１００はＥＭＭストリームを記録する際にＥＭＭの順序を入れ替える。
【手続補正１０】
【補正対象書類名】明細書
【補正対象項目名】００６７
【補正方法】変更
【補正の内容】
【００６７】
Ｓ１１０７で、システム制御部１０９は、ＨＤＤ１２２からＥＭＭ位置ポインタで示されたアドレスに存在するＥＭＭを読み出し、これをＤＲＡＭ１５１に記憶する。
【手続補正１１】
【補正対象書類名】明細書
【補正対象項目名】００８３
【補正方法】変更
【補正の内容】
【００８３】
また、図４に示すようにＥＭＭストリームの最初の周期のＥＭＭを移動させるだけではなく、ＥＭＭストリーム全体でＥＭＭの位置を調整してもよい。例えば、各チャプターの先頭にデバイス鍵更新ＥＭＭを配置し、その次にワーク鍵設定ＥＭＭを配置するように放送受信装置１００を構成してもよい。
【手続補正１２】
【補正対象書類名】明細書
【補正対象項目名】００９８
【補正方法】変更
【補正の内容】
【００９８】
一方Ｓ２１０９では、システム制御部１０９は、ＥＭＭストリームの全体に亘って奇数番地に記憶領域Ｅ３のＥＭＭを上書きする。次いで、Ｓ２１１０で、システム制御部１０９は、ＥＭＭストリームの全体に亘って偶数番地に記憶領域Ｅ４のＥＭＭを上書きする。即ち、Ｓ２１０９及びＳ２１１０では、システム制御部１０９は、自装置向けのデバイス鍵更新ＥＭＭ及びワーク鍵設定ＥＭＭをＥＭＭストリーム全体に亘って交互に上書きする。